(57)【特許請求の範囲】
【請求項１】
通過させてよい人の通行の際に開いて通行可能とし、通過させることができない人の場合に開かないことにより、一人ずつ通過させるゲート装置であって、
ゲート通路を形成する一対のゲート壁と、
認証カードから情報を読み取った結果に基づいて前記ゲート通路の開閉を行うゲートドアと、
前記ゲートドアに画像を投射することによって通過しようとする人に情報を表示するプロジェクタと、
を備えていることを特徴とするゲート装置。
【請求項２】
前記プロジェクタは、読み取った情報に基づいた表示を行うことを特徴とする請求項１に記載のゲート装置。
【請求項３】
前記プロジェクタは、読み取られる情報と関係なく表示を行うことを特徴とする請求項１に記載のゲート装置。
【請求項４】
前記ゲート壁に設けられたリーダ部で読み取られた前記認証カードの情報に基づいて前記ゲート通路を通過させてよいか否かを判定する判定部が前記ゲート通路を通過させてよいと判定した場合に、前記ゲートドアを開けるように制御するドア駆動部を備えていることを特徴とする請求項１から請求項３のいずれか一項に記載のゲート装置。
【請求項５】
前記プロジェクタで表示する画像情報を入力する画像入力部を備えていることを特徴とする請求項１から請求項４のいずれか一項に記載のゲート装置。
【請求項６】
前記プロジェクタは、案内情報を表示するものであることを特徴とする請求項１から請求項５のいずれか一項に記載のゲート装置。
【請求項７】
前記プロジェクタは、情報が表示されない光を照射するものであることを特徴とする請求項１から請求項５のいずれか一項に記載のゲート装置。
【発明の詳細な説明】
【技術分野】
【０００１】
本発明はゲート装置に係り、特に、ゲートドアに必要に応じてあらゆる案内情報を表示することができるとともに、ゲートドア部分の照明を行うことを可能としたゲート装置に関するものである。
【背景技術】
【０００２】
従来から、ビルの入口や駅の改札などにおいて、入場許可を受けた特定の人物のみに対して入場許可を行い、通行や入室を行わせることで、不正な入場を防止することが行われている。そして、近年、ＩＣカードなどの認証カードを用いて、入場者の識別を行うことで、自動的に入場の許可を行うゲート装置が多く用いられている。
【０００３】
このようなゲート装置としては、例えば、人間一人の単独通過を許容する挟幅通路を閉鎖するフラップを備え、カードリーダに入場希望者により提示されるＩＣカードから読み取ったパーソナルデータと入場管理システムが予め保持する許可パーソナルデータとが一致した場合、あるいいは指紋情報読取器で読み取った入場希望者の指紋情報と入場管理システムが予め保持する許可指紋情報とが一致した場合に、フラップを開放するようにした技術が開示されている（例えば、特許文献１参照）。
【先行技術文献】
【特許文献】
【０００４】
【特許文献１】特開２００１−２４３５１５号公報
【発明の概要】
【発明が解決しようとする課題】
【０００５】
このような従来の技術においては、ゲート装置を通過する際の案内などを行う場合、所定の案内が印刷された印刷物をゲート装置のゲート壁に貼り付けたり、あるいは、液晶やＬＥＤなどからなる小型の表示部を設けて、この表示部により所望の案内を行うようにしていた。また、夜間などにおいて、ゲート装置付近を照明することが行われているが、従来、例えば、ゲートドア部分をＬＥＤなどにより照明するようにしていた。
【０００６】
しかしながら、このような従来の案内手段においては、案内情報を容易に変更することができず、必要に応じた適切な案内表示を行うことができないという問題を有している。しかも、ゲートドア部分を照明するための照明装置を別個に設ける必要があるという問題を有している。
【０００７】
本発明は前記した点に鑑みてなされたものであり、ゲートドアに必要に応じてあらゆる案内情報を表示することができるとともに、ゲートドア部分の照明を行うことのできるゲート装置を提供することを目的とするものである。
【課題を解決するための手段】
【０００８】
本発明は前記目的を達成するために、請求項１の発明に係るゲート装置は、通過させてよい人の通行の際に開いて通行可能とし、通過させることができない人の場合に開かないことにより、一人ずつ通過させるゲート装置であって、
ゲート通路を形成する一対のゲート壁と、
認証カードから情報を読み取った結果に基づいて前記ゲート通路の開閉を行うゲートドアと、
前記ゲートドアに画像を投射することによって通過しようとする人に情報を表示するプロジェクタと、
を備えていることを特徴とする。
請求項２に係る発明は、請求項１において、前記プロジェクタは、読み取った情報に基づいた表示を行うことを特徴とする。
請求項３に係る発明は、請求項１において、前記プロジェクタは、読み取られる情報と関係なく表示を行うことを特徴とする。
請求項４に係る発明は、請求項１から請求項３のいずれか一項において、前記ゲート壁に設けられたリーダ部で読み取られた前記認証カードの情報に基づいて前記ゲート通路を通過させてよいか否かを判定する判定部が前記ゲート通路を通過させてよいと判定した場合に、前記ゲートドアを開けるように制御するドア駆動部を備えていることを特徴とする。
【０００９】
請求項５に係る発明は、請求項１から請求項４のいずれか一項において、前記プロジェクタで表示する画像情報を入力する画像入力部を備えていることを特徴とする。
【００１０】
請求項６に係る発明は、請求項１から請求項５のいずれか一項において、前記プロジェクタは、案内情報を表示するものであることを特徴とする。
【００１１】
請求項７に係る発明は、請求項１から請求項５のいずれか一項において、前記プロジェクタは、情報が表示されない光を照射するものであることを特徴とする。
【発明の効果】
【００１２】
請求項１に係る発明によれば、ゲートドアに画像を投射するプロジェクタを設けるようにしているので、プロジェクタの表示画像を変更することにより、必要に応じてあらゆる画像を表示させることができ、表示画像の自由度を高めることができる。
【００１３】
請求項５に係る発明によれば、プロジェクタで表示する画像情報を入力する画像入力部を設けるようにしているので、画像入力部から必要な画像を入力することにより、プロジェクタに必要な画像を表示させることができる。
【００１４】
請求項６に係る発明によれば、プロジェクタにより案内情報を表示するようにしているので、表示画像の自由度が高く、必要に応じてあらゆる案内画像を表示させることができる。
【００１５】
請求項７に係る発明によれば、プロジェクタにより情報が表示されない光を照射するようにしているので、別個に照明装置を設置することなく、ゲートドア部分の照明を行うことができる。
【図面の簡単な説明】
【００１６】
【図１】本発明に係るゲート装置の実施形態を示す概略斜視図である。
【図２】本発明に係るゲート装置の実施形態における制御構成を示すブロック図である。
【発明を実施するための形態】
【００１７】
以下、本発明の実施形態について図面を参照して説明する。
【００１８】
図１は、本発明に係るゲート装置の実施形態を示す概略構成図であり、本実施形態においては、ゲート装置１は、所定の間隔を持って立設された一対のゲート壁２，２を備えており、各ゲート壁２の間に、人などが通過するゲート通路３が形成されるようになっている。このゲート装置１は、例えば、セキュリティを行う必要があるビルの入口ゲート装置１や列車駅の改札ゲート装置１など種々のゲート装置に適用することが可能である。
【００１９】
また、各ゲート壁２の互いに対向する面には、ゲート通路３を塞ぐ一対のゲートドア４が開閉自在に設けられている。ゲート壁２の上面には、ゲート通路３を通過することを許可するための認証カード（図示せず）の情報を読み取るためのリーダ部５が形成されている。認証カードとしては、例えば、ＩＣカードや磁気カードなどがある。また、本実施形態においては、ゲート壁２の側部には、ゲートドア４の入口側の面に画像を投写するプロジェクタ６およびゲートドア４の出口側の面に画像を投写するプロジェクタ（図示せず）が取付けられている。なお、本実施形態においては、２つのプロジェクタ６を設けるようにしたが、入口側の面に画像を投写するプロジェクタ６または出口側の面に画像を投写するプロジェクタ６のいずれか一方のみを設けるようにしてもよい。
【００２０】
図２は本発明に係るゲート装置１の制御構成を示すブロック図であり、ゲート装置１には、制御装置７が内蔵されている。制御装置７は、リーダ部５で読み取られた認証カードの情報に基づいてゲート通路３を通過させてもよいか否かを判定する判定部８を備えている。また、制御装置７には、ゲートドア４を開閉駆動するためのドア駆動部９が設けられており、制御装置７には、判定部８により認証カードの情報に基づいてゲート装置１を通過させることができないと判定した場合に、音声あるいは表示などにより警告を行う警告部１０が設けられている。そして、制御装置７は、判定部８により認証カードの情報に基づいてゲート通路３を通過させてよいと判定した場合は、ドア駆動部９によりゲートドア４を開くように制御するとともに、認証カードの情報に基づいてゲート通路３を通過させることができないと判定した場合は、ゲートドア４を開く代わりに警告部１０による警告を行うように構成されている。
【００２１】
また、制御装置７には、プロジェクタ６による表示画像情報を入力するための画像入力部１１が設けられており、プロジェクタ６には、画像入力部１１から入力された画像情報の台形補正や画像の拡大縮小調整、シャープネス補正などの各種画像調整を行う画像調整部１２が設けられている。また、プロジェクタ６には、画像調整部１２から出力される画像情報に基づいて所定の画像を形成する画像形成部１３と、画像形成部１３により形成された画像をゲートドア４に投射する光学装置１４とを備えている。この画像形成部１３は、例えば、光透過型の液晶パネルや、ＭＥＭＳ（Micro Electro Mechanical Systems）などにより構成されるものである。
【００２２】
プロジェクタ６による表示画像としては、例えば、入口側のプロジェクタ６では、「右上のリーダ部５にカードをかざしてください」などのようにゲート装置１を通過する際の案内情報を表示したり、出口側のプロジェクタ６では、進入禁止のマークを表示したりすることが考えられる。また、その他の表示画像として、例えば、ゲート装置１をセキュリティを行う必要があるビルの入口ゲート装置１に適用した場合には、ビルの案内などの案内情報や、ビルの店舗の広告情報などが考えられる。また、ゲート装置１を駅の改札ゲート装置１に適用した場合は、例えば、入口側のプロジェクタ６では、列車の発車番線や発車時刻などの案内情報を表示したり、出口側のプロジェクタ６では、バスやタクシー乗り場の案内情報を表示することが考えられる。また、プロジェクタ６による表示画像は、一定時間毎に切換えて複数の画像を表示させるようにしてもよい。
【００２３】
さらに、本実施形態においては、プロジェクタ６による画像表示を行わず、光のみを照射するようにしてもよく、この場合には、例えば、任意の色の光を照射するようにしてもよい。なお、プロジェクタ６による表示画像の投射あるいは光の照射を行う際に、視認性を高めるために、ゲートドア４は、例えば、透明あるいは白色に形成することが好ましい。
【００２４】
次に、本実施形態の作用について説明する。
【００２５】
まず、画像入力部１１に画像情報が入力されると、この画像情報がプロジェクタ６に出力され、画像調整部１２により画像情報の各種調整が行われる。そして、画像調整部１２から出力される画像情報に基づいて画像形成部１３により画像を形成して、この画像を光学装置１４を介してゲートドア４に投射するようになっている。
【００２６】
そして、ゲート装置１のリーダ部５に認証カードがかざされると、リーダ部５により認証カードの情報を読み取り、判定部８により認証カードの情報に基づいてゲート通路３を通過させてよいか否か判断する。そして、通過させてもよいと判定した場合は、ドア駆動部９によりゲートドア４を開くように制御する。一方、認証カードの情報に基づいてゲート通路３を通過させることができないと判定した場合は、ゲートドア４を開く代わりに警告部１０による警告を行う。
【００２７】
以上述べたように、本実施形態においては、画像入力部１１から入力された画像情報に基づいて、プロジェクタ６によりゲートドア４に所定の案内情報を表示するようにしているので、表示画像の自由度が高く、必要に応じてあらゆる案内画像を表示させることができる。また、プロジェクタ６により、画像表示を行わず、光のみを照射することもできるので、別個に照明装置を設置することなく、ゲートドア４部分の照明を行うことができる。
【００２８】
なお、前記実施形態において、画像情報をゲート装置１の画像入力部１１から入力するようにしているが、例えば、各ゲート装置１を管理する中央管理システムなどにより、集中的に画像情報を入力し、この画像情報に基づいて、各ゲート装置１のプロジェクタ６により画像表示を行うようにしてもよい。
【００２９】
また、本発明は上記実施形態に限定されるものではなく、本発明の趣旨に基づいて種々の変形が可能である。
【符号の説明】
【００３０】
１  ゲート装置
２  ゲート壁
３  ゲート通路
４  ゲートドア
５  リーダ部
６  プロジェクタ
７  制御装置
８  判定部
９  ドア駆動部
１０  警告部
１１  画像入力部
１２  画像調整部
１３  画像形成部
１４  光学装置
【図１】
0005566781.tif 000002
【図２】
0005566781.tif 000003